【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
着信があったとき少なくとも着信音を鳴らさないモードであるマナーモードと、
前記マナーモードが動作するように設定するマナーモード設定手段と、
他の通信装置から電話による着信があったとき、第１の所定の条件の場合には前記マナーモード設定手段によって設定されているマナーモードを解除あるいは無効にすることを特徴とする通信装置。
【請求項２】
着信があったとき少なくとも着信音を鳴らさないモードであるマナーモードと、
前記マナーモードが動作するように設定するマナーモード設定手段と、
他の通信装置から電話による着信があったとき、第１の所定の条件の場合には前記マナーモード設定手段によってマナーモードが設定されている場合であっても着信音を鳴らすことを特徴とする通信装置。
【請求項３】
前記第１の所定の条件の場合とは、少なくとも暗証番号が一致した場合であることを特徴とする請求項１または２のいずれかに記載の通信装置。
【請求項４】
前記第１の所定の条件の場合とは、少なくとも暗証番号が一致した場合であって、さらに第２の所定の条件の場合であることを特徴とする請求項１または２のいずれかに記載の通信装置。
【請求項５】
前記第２の所定の条件とは、少なくとも自装置の位置情報に基づいた条件であることを特徴とする請求項４に記載の通信装置。
【請求項６】
前記第２の所定の条件の場合とは、少なくとも前記他の通信装置からマナーモードを解除或いは無効にする情報を受信した場合であることを特徴とする請求項４に記載の通信装置。
【請求項７】
前記暗証番号は、前記他の通信装置から受信した暗証番号であることを特徴とする請求項３乃至６のいずれかに記載の通信装置。
【請求項８】
前記マナーモードは、バイブレータによって振動させるモードであることを特徴とする請求項１乃至７のいずれかに記載の通信装置。
【手続補正２】
【補正対象書類名】明細書
【補正対象項目名】発明の名称
【補正方法】変更
【補正の内容】
【発明の名称】通信装置
【手続補正３】
【補正対象書類名】明細書
【補正対象項目名】０００１
【補正方法】変更
【補正の内容】
【０００１】
本発明は、通信装置に関する。
【手続補正４】
【補正対象書類名】明細書
【補正対象項目名】０００２
【補正方法】変更
【補正の内容】
【０００２】
携帯型電話機等の通信装置には、着信音を鳴動させる代わりにバイブレータを振動させる等するマナーモードを備えるものがある。
【手続補正５】
【補正対象書類名】明細書
【補正対象項目名】０００３
【補正方法】変更
【補正の内容】
【０００３】
しかし、マナーモードの場合、携帯型電話機を体から離しておくと、本人がディスプレイの着信を示す表示を見るまで電話があったことを知ることができないという課題がある。
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】変更
【補正の内容】
【０００６】
本発明は係る事情に鑑みてなされたものであり、マナーモードの場合にユーザの体が通信装置から離れている時でも条件によっては他の通信装置からの電話による着信があったことをユーザが知らせることができる通信装置を提供することを目的とする。
【手続補正９】
【補正対象書類名】明細書
【補正対象項目名】０００７
【補正方法】変更
【補正の内容】
【０００７】
請求項１に記載の通信装置は、着信があったとき少なくとも着信音を鳴らさないモードであるマナーモードと、前記マナーモードが動作するように設定するマナーモード設定手段と、他の通信装置から電話による着信があったとき、第１の所定の条件の場合には前記マナーモード設定手段によって設定されているマナーモードを解除あるいは無効にすることを特徴とする通信装置。
【手続補正１０】
【補正対象書類名】明細書
【補正対象項目名】０００８
【補正方法】変更
【補正の内容】
【０００８】
請求項２に記載の通信装置は、着信があったとき少なくとも着信音を鳴らさないモードであるマナーモードと、前記マナーモードが動作するように設定するマナーモード設定手段と、他の通信装置から電話による着信があったとき、第１の所定の条件の場合には前記マナーモード設定手段によってマナーモードが設定されている場合であっても着信音を鳴らすことを特徴とする。
【手続補正１１】
【補正対象書類名】明細書
【補正対象項目名】０００９
【補正方法】変更
【補正の内容】
【０００９】
請求項３に記載の通信装置は、請求項１または２のいずれかに記載の通信装置において、前記第１の所定の条件の場合とは、少なくとも暗証番号が一致した場合であることを特徴とする。
【手続補正１２】
【補正対象書類名】明細書
【補正対象項目名】００１０
【補正方法】変更
【補正の内容】
【００１０】
請求項４に記載の通信装置は、請求項１または２のいずれかに記載の通信装置において、前記第１の所定の条件の場合とは、少なくとも暗証番号が一致した場合であって、さらに第２の所定の条件の場合であることを特徴とする。
【手続補正１３】
【補正対象書類名】明細書
【補正対象項目名】００１１
【補正方法】変更
【補正の内容】
【００１１】
請求項５に記載の通信装置は、請求項４に記載の通信装置において、前記第２の所定の条件とは、少なくとも自装置の位置情報に基づいた条件であることを特徴とする。
【手続補正１４】
【補正対象書類名】明細書
【補正対象項目名】００１２
【補正方法】変更
【補正の内容】
【００１２】
請求項６に記載の通信装置は、請求項４に記載の通信装置において、前記第２の所定の条件の場合とは、少なくとも前記他の通信装置からマナーモードを解除或いは無効にする情報を受信した場合であることを特徴とする。
【手続補正１５】
【補正対象書類名】明細書
【補正対象項目名】００１３
【補正方法】変更
【補正の内容】
【００１３】
請求項７に記載の通信装置は、請求項３乃至６のいずれかに記載の通信装置において、前記暗証番号は、前記他の通信装置から受信した暗証番号であることを特徴とする。
【手続補正１６】
【補正対象書類名】明細書
【補正対象項目名】００１４
【補正方法】変更
【補正の内容】
【００１４】
請求項８に記載の通信装置は、請求項１乃至７のいずれかに記載の通信装置において、前記マナーモードは、バイブレータによって振動させるモードであることを特徴とする。
【手続補正１７】
【補正対象書類名】明細書
【補正対象項目名】００１５
【補正方法】削除
【補正の内容】
【手続補正１８】
【補正対象書類名】明細書
【補正対象項目名】００１６
【補正方法】削除
【補正の内容】
【手続補正１９】
【補正対象書類名】明細書
【補正対象項目名】００１７
【補正方法】削除
【補正の内容】
【手続補正２０】
【補正対象書類名】明細書
【補正対象項目名】００１８
【補正方法】変更
【補正の内容】
【００１８】
本発明によれば、マナーモードの場合にユーザの体が通信装置から離れている時でも条件によっては他の通信装置からの電話による着信があったことをユーザが知らせることが可能となる効果が得られる。
【手続補正２１】
【補正対象書類名】明細書
【補正対象項目名】００１９
【補正方法】削除
【補正の内容】